(57)【要約】【課題】画面内に収まらない分量のコンテンツ情報がある場合、画面のスクロール等によって表示されなくなった部分の情報を確認できる要約情報提供装置等を提供する。【解決手段】端末２０の表示部２３に表示させるコンテンツ情報３０のうち、表示部に表示されているコンテンツ情報の表示部分３１を特定するための表示位置情報を端末から受信し（Ｓ５）、表示部に表示されていないコンテンツ情報の非表示部分３２、３３を、表示位置情報から特定し（Ｓ６）、非表示部分に含まれるコンテンツ情報の要約情報３５を生成し（Ｓ７）、要約情報を端末へ送信する（Ｓ８）。【選択図】図５
2012008970.tif 000002
【特許請求の範囲】
【請求項１】
コンテンツ情報を表示可能な表示手段と、
前記表示手段に表示させるためのコンテンツ情報のうち、前記表示手段に表示されないコンテンツ情報の非表示部分を特定する非表示部分特定手段と、
前記非表示部分に含まれるコンテンツ情報の要約情報を生成する要約情報生成手段と、
前記要約情報を前記表示手段に表示させる要約情報表示手段と、
を備えた要約情報表示装置。
【請求項２】
請求項１に記載の要約情報表示装置において、
前記非表示部分特定手段は、前記表示手段に表示されている前記コンテンツ情報の表示位置情報に基づいて前記非表示部分を特定することを特徴とする要約情報表示装置。
【請求項３】
請求項２に記載の要約情報表示装置において、
非表示部分特定手段が、前記表示位置情報と、前記表示手段における前記コンテンツ情報の初期の表示位置を示す初期表示位置情報と、に基づき、前記非表示部分を特定することを特徴とする要約情報表示装置。
【請求項４】
請求項１から請求項３のいずれか１項に記載の要約情報表示装置において、
前記要約情報表示装置を操作可能な操作手段と、
前記操作手段の操作情報に基づき、一定時間操作が無く、再度操作がなされた場合の操作判定情報を取得する操作判定情報取得手段と、を更に備え、
前記要約情報表示手段が、前記操作判定情報を取得した場合に、前記表示手段に表示させることを特徴とする要約情報表示装置。
【請求項５】
表示手段に表示させるためのコンテンツ情報のうち、前記表示手段に表示されないコンテンツ情報の非表示部分を特定する非表示部分特定ステップと、
前記非表示部分に含まれるコンテンツ情報の要約情報を生成する要約情報生成ステップと、
前記要約情報を前記表示手段に表示させる要約情報表示ステップと、
を有する要約情報表示方法。
【請求項６】
コンピュータに、
表示手段に表示させるためのコンテンツ情報のうち、前記表示手段に表示されないコンテンツ情報の非表示部分を特定する非表示部分特定ステップと、
前記非表示部分に含まれるコンテンツ情報の要約情報を生成する要約情報生成ステップと、
前記要約情報を前記表示手段に表示させる要約情報表示ステップと、
を実行させる要約情報表示プログラム。
【請求項７】
コンピュータに、
表示手段に表示させるためのコンテンツ情報のうち、前記表示手段に表示されないコンテンツ情報の非表示部分を特定する非表示部分特定ステップと、
前記非表示部分に含まれるコンテンツ情報の要約情報を生成する要約情報生成ステップと、
前記要約情報を前記表示手段に表示させる要約情報表示ステップと、
を実行させる要約情報表示プログラムであって、
前記要約情報表示プログラムがコンピュータ読み取り可能に記録されている記録媒体。
【請求項８】
端末の表示部に表示させるコンテンツ情報のうち、前記表示部に表示されている前記コンテンツ情報の表示部分を特定するための表示位置情報を前記端末から受信する表示位置情報受信手段と、
前記表示部に表示されていない前記コンテンツ情報の非表示部分を、前記表示位置情報から特定する非表示部分特定手段と、
前記非表示部分に含まれるコンテンツ情報の要約情報を生成する要約情報生成手段と、
前記要約情報を前記端末へ送信する要約情報送信手段と、
を備えた要約情報提供装置。
【請求項９】
コンピュータに、
端末の表示部に表示させるコンテンツ情報のうち、前記表示部に表示されている前記コンテンツ情報の表示部分を特定するための表示位置情報を前記端末から受信する表示位置情報受信ステップと、
前記表示部に表示されていない前記コンテンツ情報の非表示部分を、前記表示位置情報から特定する非表示部分特定ステップと、
前記非表示部分に含まれるコンテンツ情報の要約情報を生成する要約情報生成ステップと、
前記要約情報を前記端末へ送信する要約情報送信ステップと、
を実行させる要約情報提供プログラム。
【請求項１０】
コンピュータに、
端末の表示部に表示させるコンテンツ情報のうち、前記表示部に表示されている前記コンテンツ情報の表示部分を特定するための表示位置情報を前記端末から受信する表示位置情報受信ステップと、
前記表示部に表示されていない前記コンテンツ情報の非表示部分を、前記表示位置情報から特定する非表示部分特定ステップと、
前記非表示部分に含まれるコンテンツ情報の要約情報を生成する要約情報生成ステップと、
前記要約情報を前記端末へ送信する要約情報送信ステップと、
を実行させる要約情報提供プログラムであって、
前記要約情報提供プログラムがコンピュータ読み取り可能に記録されている記録媒体。
【請求項１１】
表示部に表示させるコンテンツ情報のうち、前記表示部に表示されている表示部分を特定するための表示位置情報を取得する表示位置情報取得手段と、
前記コンテンツ情報のうち、前記表示部に表示されていない非表示部分を、前記表示位置情報から特定する非表示部分特定手段と、
前記非表示部分に含まれるコンテンツ情報の要約情報を生成する要約情報生成手段と、
前記要約情報を前記表示部に表示させる要約情報表示手段と、
を備えた要約情報表示装置。
【発明の詳細な説明】
【技術分野】
【０００１】
本発明は、Ｗｅｂページ等の要約を提供する要約情報表示装置、要約情報表示方法、要約情報表示プログラム、要約情報提供装置、要約情報提供プログラム、および、記録媒体の技術分野に関する。
【背景技術】
【０００２】
端末の表示画面上で一度に表示ができないサイズを有するＷｅｂページの場合、キーボードやマウス等の操作部によりスクロールして、Ｗｅｂページを見る必要がある。このような場合、ユーザの利便性を高めるために、自動スクロール等の技術が開発されている。例えば、特許文献１には、データの自動スクロールに連動して、カーソルポインタを自動スクロールによって更新された画面内のデータ上に自動的に移動させるカーソルポインタ処理プログラムが開示されている。
【先行技術文献】
【特許文献】
【０００３】
【特許文献１】特開２００４−３２６６８７号公報
【発明の概要】
【発明が解決しようとする課題】
【０００４】
しかしながら、上記技術では、閲覧した部分のＷｅｂページの内容を確認したい場合、スクロールを戻したり、自動スクロールの方向を反転させたりと不便であった。さらに、Ｗｅｂページ上で見ている箇所と確認したい箇所とを見比べたい場合、それらの間を、スクロールにより何回も往復等することもあった。
【０００５】
本発明は、このような問題に鑑みてなされたものであり、その課題の一例は、画面内に収まらない分量のコンテンツ情報がある場合、画面のスクロール等によって表示されなくなった部分の情報を確認できる要約情報表示装置、要約情報表示方法、要約情報表示プログラム、要約情報提供装置、要約情報提供プログラム、および、記録媒体を提供することを目的とする。
【課題を解決するための手段】
【０００６】
上記課題を解決するために、請求項１に記載の発明は、コンテンツ情報を表示可能な表示手段と、前記表示手段に表示させるためのコンテンツ情報のうち、前記表示手段に表示されないコンテンツ情報の非表示部分を特定する非表示部分特定手段と、前記非表示部分に含まれるコンテンツ情報の要約情報を生成する要約情報生成手段と、前記要約情報を前記表示手段に表示させる要約情報表示手段と、を備える。
【０００７】
請求項２に記載の発明は、請求項１に記載の要約情報表示装置において、前記非表示部分特定手段は、前記表示手段に表示されている前記コンテンツ情報の表示位置情報に基づいて前記非表示部分を特定することを特徴とする。
【０００８】
請求項３に記載の発明は、請求項２に記載の要約情報表示装置において、非表示部分特定手段が、前記表示位置情報と、前記表示手段における前記コンテンツ情報の初期の表示位置を示す初期表示位置情報と、に基づき、前記非表示部分を特定することを特徴とする。
【０００９】
請求項４に記載の発明は、請求項１から請求項３のいずれか１項に記載の要約情報表示装置において、前記要約情報表示装置を操作可能な操作手段と、前記操作手段の操作情報に基づき、一定時間操作が無く、再度操作がなされた場合の操作判定情報を取得する操作判定情報取得手段と、を更に備え、前記要約情報表示手段が、前記操作判定情報を取得した場合に、前記表示手段に表示させることを特徴とする。
【００１０】
請求項５に記載の発明は、表示手段に表示させるためのコンテンツ情報のうち、前記表示手段に表示されないコンテンツ情報の非表示部分を特定する非表示部分特定ステップと、前記非表示部分に含まれるコンテンツ情報の要約情報を生成する要約情報生成ステップと、前記要約情報を前記表示手段に表示させる要約情報表示ステップと、を有する。
【００１１】
請求項６に記載の発明は、コンピュータに、表示手段に表示させるためのコンテンツ情報のうち、前記表示手段に表示されないコンテンツ情報の非表示部分を特定する非表示部分特定ステップと、前記非表示部分に含まれるコンテンツ情報の要約情報を生成する要約情報生成ステップと、前記要約情報を前記表示手段に表示させる要約情報表示ステップと、を実行させる。
【００１２】
請求項７に記載の発明は、コンピュータに、表示手段に表示させるためのコンテンツ情報のうち、前記表示手段に表示されないコンテンツ情報の非表示部分を特定する非表示部分特定ステップと、前記非表示部分に含まれるコンテンツ情報の要約情報を生成する要約情報生成ステップと、前記要約情報を前記表示手段に表示させる要約情報表示ステップと、を実行させる要約情報表示プログラムであって、前記要約情報表示プログラムがコンピュータ読み取り可能に記録されている。
【００１３】
請求項８に記載の発明は、端末の表示部に表示させるコンテンツ情報のうち、前記表示部に表示されている前記コンテンツ情報の表示部分を特定するための表示位置情報を前記端末から受信する表示位置情報受信手段と、前記表示部に表示されていない前記コンテンツ情報の非表示部分を、前記表示位置情報から特定する非表示部分特定手段と、前記非表示部分に含まれるコンテンツ情報の要約情報を生成する要約情報生成手段と、前記要約情報を前記端末へ送信する要約情報送信手段と、を備える。
【００１４】
請求項９に記載の発明は、コンピュータに、端末の表示部に表示させるコンテンツ情報のうち、前記表示部に表示されている前記コンテンツ情報の表示部分を特定するための表示位置情報を前記端末から受信する表示位置情報受信ステップと、前記表示部に表示されていない前記コンテンツ情報の非表示部分を、前記表示位置情報から特定する非表示部分特定ステップと、前記非表示部分に含まれるコンテンツ情報の要約情報を生成する要約情報生成ステップと、前記要約情報を前記端末へ送信する要約情報送信ステップと、を実行させる。
【００１５】
請求項１０に記載の発明は、コンピュータに、端末の表示部に表示させるコンテンツ情報のうち、前記表示部に表示されている前記コンテンツ情報の表示部分を特定するための表示位置情報を前記端末から受信する表示位置情報受信ステップと、前記表示部に表示されていない前記コンテンツ情報の非表示部分を、前記表示位置情報から特定する非表示部分特定ステップと、前記非表示部分に含まれるコンテンツ情報の要約情報を生成する要約情報生成ステップと、前記要約情報を前記端末へ送信する要約情報送信ステップと、を実行させる要約情報提供プログラムであって、前記要約情報提供プログラムがコンピュータ読み取り可能に記録されている。
【００１６】
請求項１１に記載の発明は、表示部に表示させるコンテンツ情報のうち、前記表示部に表示されている表示部分を特定するための表示位置情報を取得する表示位置情報取得手段と、前記コンテンツ情報のうち、前記表示部に表示されていない非表示部分を、前記表示位置情報から特定する非表示部分特定手段と、前記非表示部分に含まれるコンテンツ情報の要約情報を生成する要約情報生成手段と、前記要約情報を前記表示部に表示させる要約情報表示手段と、を備える。
【発明の効果】
【００１７】
本発明によれば、表示手段に表示させるためのコンテンツ情報のうち、表示手段に表示されないコンテンツ情報の非表示部分を特定し、非表示部分に含まれるコンテンツ情報の要約情報を生成し、要約情報を表示手段に表示させることにより、表示手段の画面内に収まらない分量のコンテンツ情報がある場合、画面のスクロール等によって表示されなくなった部分の情報を確認できる。
【図面の簡単な説明】
【００１８】
【図１】本発明の一実施形態に係る要約情報表示システムの概要構成例を示す模式図である。
【図２】図１の要約情報提供サーバの概要構成の一例を示すブロック図である。
【図３】図１の端末の概要構成の一例を示すブロック図である。
【図４】図１の要約情報提供サーバが提供するコンテンツ情報の一例を示す模式図である。
【図５】図１の要約情報表示システムにおいて要約情報を表示する動作例を示すシーケンス図である。
【図６】図１の端末に表示された要約情報の一例を示す模式図である。
【図７】図１の端末に表示された要約情報の変形例を示す模式図である。
【図８】図１の端末に表示された要約情報の変形例を示す模式図である。
【図９】図１の端末に要約情報を表示させるための変形例を示す模式図である。
【図１０】図１の要約情報提供サーバが提供するコンテンツ情報の変形例を示す模式図である。
【発明を実施するための形態】
【００１９】
以下、図面を参照して本発明の実施形態について説明する。
【００２０】
［１．要約情報表示システムの構成および機能概要］
【００２１】
まず、本発明の一実施形態に係る要約情報表示システムの構成および概要機能について、図１を用いて説明する。
【００２２】
図１は、本実施形態に係る要約情報表示システムの概要構成例を示す模式図である。
【００２３】
図１に示すように、要約情報表示システム１（要約情報表示装置の一例）は、例えば、Ｗｅｂページ等のコンテンツの配信やＷｅｂページの要約等を提供する要約情報提供サーバ（要約情報提供装置の一例）１０と、インターネット上のＷｅｂページを閲覧するユーザの端末２０（要約情報表示装置の一例）と、を備えている。
【００２４】
要約情報提供サーバ１０と、端末２０とは、ネットワーク３により接続され、通信プロトコル（例えば、ＴＣＰ／ＩＰ）により、データの送受信が可能になっている。なお、ネットワーク３は、例えば、インターネット、専用通信回線（例えば、ＣＡＴＶ（Community Antenna Television）回線）、移動体通信網（基地局等を含む）、および、ゲートウェイ等により構築されている。
【００２５】
要約情報提供サーバ１０は、端末２０に送信したコンテンツ情報のうち、端末２０の表示部に表示されているコンテンツ情報の表示部分の特定をするための表示位置情報を端末２０から受信する。そして、要約情報提供サーバ１０は、表示位置情報に基づき、表示部分に表示されていないコンテンツ情報の要約情報を生成し、端末２０に送信する。
【００２６】
［２．サーバ等の構成および機能］
（２．１  要約情報提供サーバ１０の構成および機能）
次に、要約情報提供サーバ１０の構成および機能について、図２を用いて説明する。
【００２７】
図２は、要約情報提供サーバ１０の概要構成の一例を示すブロック図である。
【００２８】
図２に示すように、コンピュータとして機能する要約情報提供サーバ１０は、通信部１１と、記憶部１２と、入出力インターフェース部１３と、システム制御部１４を備えている。そして、システム制御部１４と入出力インターフェース部１３とは、システムバス１５を介して接続されている。
【００２９】
通信部１１は、ネットワーク３に接続して端末２０等との通信状態を制御し、さらに、ローカルエリアネットワークに接続して、ローカルエリアネットワーク上のサーバとデータの送受信を行う。
【００３０】
記憶部１２は、例えば、ハードディスクドライブ等により構成されており、オペレーティングシステムおよびサーバプログラムや、端末２０等にダウンロードして実行させるプログラム等の各種プログラムや、データ等を記憶する。なお、各種プログラムは、例えば、他のサーバ装置等からネットワーク３を介して取得されるようにしてもよいし、記録媒体に記録されてドライブ装置を介して読み込まれるようにしてもよい。
【００３１】
また、記憶部１２は、コンテンツデータベース（以下「コンテンツＤＢ」とする。）１２ａや、要約情報データベース（以下「要約情報ＤＢ」とする。）１２ｂ等を有している。
【００３２】
コンテンツＤＢ１２ａには、ＨＴＭＬ（HyperText Markup Language）、ＸＭＬ（Extensible Markup Language）等のマークアップ言語等により記述されたＷｅｂページのファイル等が記憶されている。また、コンテンツＤＢ１２ａには、Ｗｅｂページに関する情報として、テキストデータや、画像データや、動画データ等が記憶されている。
【００３３】
要約情報ＤＢ１２ｂには、Ｗｅｂページに関する情報を要約した要約情報が記憶される。
【００３４】
なお、記憶部１２に記憶されたＷｅｂページの一部には、要約情報表示プログラムの一例として、端末２０におけるＷｅｂページの操作情報を要約情報提供サーバ１０に送信したり、要約情報提供サーバ１０から要約情報を取得して表示させたりするスクリプト等が埋め込まれている。
【００３５】
このスクリプトは、例えば公知のＪＡＶＡ（登録商標）Ｓｃｒｉｐｔ等によって記述されているがこれに限定されることはなく、任意に選択することができる。また、これらのスクリプトの詳細については、公知技術であるため詳しい説明は省略する。
【００３６】
次に、入出力インターフェース部１３は、通信部１１および記憶部１２とシステム制御部１４との間のインターフェース処理を行う。
【００３７】
システム制御部１４は、ＣＰＵ（Central Processing Unit）１４ａ、ＲＯＭ（Read Only Memory）１４ｂ、ＲＡＭ（Random Access Memory）１４ｃ等により構成されている。システム制御部１４は、ＣＰＵ１４ａがＲＯＭ１４ｂや記憶部１２に記憶された各種プログラムを読み出し実行することにより、端末２０等からの要求に基づき、Ｗｅｂページの送信処理等を行う。
【００３８】
（２．２  端末２０の構成および機能）
【００３９】
次に、端末２０の構成および機能について、図３を用いて説明する。
図３は、端末２０の概要構成の一例を示すブロック図である。
【００４０】
図３に示すように、コンピュータとして機能する端末２０は、例えば、パーソナルコンピュータや携帯型無線電話機やＰＤＡ等の携帯端末であり、通信部２１と、記憶部２２と、表示部２３と、操作部２４と、入出力インターフェース部２５と、システム制御部２６とを備えている。そして、システム制御部２６と入出力インターフェース部２５とは、システムバス２７を介して接続されている。
【００４１】
通信部２１は、ネットワーク３を通して、要約情報提供サーバ１０等と通信を制御する。なお、端末２０が携帯型無線電話機の場合、ネットワーク３の移動体通信網に接続するために、通信部２１は、無線通信機能を有する。
【００４２】
記憶部２２は、例えば、ハードディスクドライブ等からなり、オペレーティングシステム、Ｗｅｂブラウザプログラム等を記憶する。なお、各種プログラムは、例えば、ネットワーク３を介して取得されるようにしてもよいし、記録媒体に記録されてドライブ装置を介して読み込まれるようにしてもよい。
【００４３】
表示部２３（表示手段の一例）は、例えば、液晶表示素子またはＥＬ（Electro Luminescence）素子等によって構成されている。表示部２３には、マウスの操作により移動するポインタや、要約情報提供サーバ１０から取得したＷｅｂページ等が表示される。
【００４４】
操作部２４（操作手段の一例）は、例えば、キーボードおよびマウス等によって構成されている。なお、表示部２３がタッチパネルのようなタッチスイッチ方式の表示パネルの場合、操作部２４は、表示部２３の画面が押された箇所の位置情報を取得する。
【００４５】
入出力インターフェース部２５は、通信部２１および記憶部２２とシステム制御部２６とのインターフェースである。
【００４６】
システム制御部２６は、例えば、ＣＰＵ２６ａと、ＲＯＭ２６ｂと、ＲＡＭ２６ｃとを有する。システム制御部２６は、ＣＰＵ２６ａが、ＲＯＭ２６ｂや、ＲＡＭ２６ｃや、記憶部２２に記憶された各種プログラムを読み出して実行する場合や、Ｗｅｂページのスクリプトを実行することにより、要約情報等を表示部２３に表示させる。また、ＲＡＭ２６ｃ等には、コンテンツ情報を表示部２３に表示させるためのグラフィック領域が形成される。
【００４７】
［３．要約情報表示システム１の動作］
次に、本発明の一実施形態に係る要約情報表示システム１の動作について図４〜図６に基づき説明する。
【００４８】
図４は、要約情報提供サーバ１０が提供するコンテンツ情報の一例を示す模式図である。図５は、要約情報表示システム１において要約情報を表示する動作例を示すシーケンス図である。図６は、端末２０に表示された要約情報の一例を示す模式図である。
【００４９】
まず、端末２０は、要約情報提供サーバ１０からコンテンツ情報を受信する。図４に示すように、このコンテンツ情報３０（表示部２３に表示させるコンテンツ情報の一例）は、端末２０の表示部２３の画面内に収まらない分量の情報量を有する。コンテンツ情報３０は、Ｗｅｂブラウザ４０の画面内に表示される表示エリア３１（表示部分の一例）と、非表示エリア３２、３３（非表示部分の一例）とに分かれる。表示エリア３１は、Ｙの座標が、Ｙ１〜Ｙ２のエリアで、非表示エリア３２は、Ｙの座標が、０〜Ｙ１のエリアで、非表示エリア３３は、Ｙの座標が、Ｙ２〜Ｙmaxのエリアである。
【００５０】
なお、図４に示す状態は、ユーザが操作部２４によりＹ方向にスクロールして、コンテンツ情報３０の一部を、表示部２３に表示されたＷｅｂブラウザ４０の画面内に表示させている状態を示している。すなわち、図４に示す状態は、コンテンツ情報３０におけるＹ＝０の状態からＹ＝Ｙ１の状態まで、画面をスクロールさせた状態である。また、コンテンツ情報が表示部２３においてＸ方向にスクロールされる場合は、Ｘ方向の位置座標が、表示位置情報となる。
【００５１】
図５に示すように、端末２０は、操作部２４からの入力の有無を判定する（ステップＳ１）。具体的に、端末２０のシステム制御部２６は、マウス等の操作部２４により、Ｗｅｂブラウザ４０が操作されているか否かを判定をする。
【００５２】
端末２０のシステム制御部２６は、操作部２４からの入力がある場合（ステップＳ１；ＹＥＳ）、操作部２４からの入力が無しの状態になるまで、ステップＳ１の処理を行う。
【００５３】
次に、操作部２４からの入力が無しの状態で（ステップＳ１；ＮＯ）、端末２０は、位置座標を取得する（ステップＳ２）。具体的に、端末２０のシステム制御部２６は、コンテンツ情報３０がＷｅｂブラウザ４０に表示されている表示エリア３１のＹ方向の位置座標（Ｙ１、Ｙ２）を取得する。さらに具体的には、端末２０のシステム制御部２６は、ＲＡＭ２６ｃのグラフィック領域の情報等から、コンテンツ情報３０の表示エリア３１の位置座標を表示位置情報の一例として取得する。このように、端末２０のシステム制御部２６は、コンテンツ情報３０のうち、表示部２３に表示されている表示エリア３１を特定するための表示位置情報を取得する。ここで、図４に示すように、Ｙ２−Ｙ１は、表示部２３上に開かれているＷｅｂブラウザ４０のＹ方向の表示幅Ｙｗである。
【００５４】
次に、端末２０は、操作部２４からの入力無しの状態が所定時間以上経過したか否かを判定する（ステップＳ３）。端末２０のシステム制御部２６は、所定時間以上経過していない場合（ステップＳ３；ＮＯ）、ステップＳ１に戻り、操作部２４の入力の有無を判定して新しい表示位置情報を取得する。これは、ユーザが端末２０のアプリケーション等を、離席等せず現在実際に使用しているか等の使用状況をチェックするためである。特に、端末２０のシステム制御部２６は、Ｗｅｂブラウザ４０に対する操作の有無をチェックする。例えば、端末２０のシステム制御部２６はＷｅｂブラウザ４０を開いた状態で、他のウィンドウ画面等で作業していて、Ｗｅｂブラウザ４０に対する操作の有無を判定する。
【００５５】
次に、所定時間以上経過した場合（ステップＳ３；ＹＥＳ）、端末２０は、位置座標を要約情報提供サーバ１０に送信する（ステップＳ４）。具体的に、端末２０のシステム制御部２６は、通信部２１を通して、コンテンツ情報３０の表示エリア３１のＹ方向の位置座標（Ｙ１、Ｙ２）を要約情報提供サーバ１０に送信する。
【００５６】
次に、要約情報提供サーバ１０は、位置座標を端末２０から受信する（ステップＳ５）。具体的に、要約情報提供サーバ１０のシステム制御部１４は、端末２０の表示部２３に表示されているコンテンツ情報３０の表示エリア３１を特定するための表示位置情報の一例として、表示エリア３１のＹ方向の位置座標（Ｙ１、Ｙ２）を端末２０から受信する。
【００５７】
次に、要約情報提供サーバ１０は、非表示エリアを特定する（ステップＳ６）。具体的に、要約情報提供サーバ１０のシステム制御部１４は、表示部２３に表示されていないコンテンツ情報３０の非表示エリア３２、３３を、表示エリア３１の位置座標（Ｙ１、Ｙ２）と、コンテンツ情報３０の位置座標（０、Ｙmax）から特定する。さらに具体的には、要約情報提供サーバ１０のシステム制御部１４は、非表示エリア３２の位置情報として位置座標（０、Ｙ１）、非表示エリア３３の位置情報として位置座標（Ｙ２、Ｙmax）を特定する。特に、非表示エリア３２の位置座標（０、Ｙ１）に関しては、表示エリア３１の位置座標（Ｙ１、Ｙ２）と、表示部２３におけるコンテンツ情報３０の初期の表示エリアを示す初期表示位置情報の一例の初期位置座標（０、Ｙｗ）と、に基づき、非表示エリア３２を特定する。
【００５８】
次に、要約情報提供サーバ１０は、非表示エリアのコンテンツを要約する（ステップＳ７）。具体的に、要約情報提供サーバ１０のシステム制御部１４は、非表示エリア３２、３３に含まれるコンテンツ情報３０の要約情報を生成する。特に、既に閲覧したと想定される非表示エリア３２におけるコンテンツの要約を生成する。
【００５９】
なお、要約情報提供サーバ１０のシステム制御部１４は、コンテンツ情報３０に既存の自動要約生成の手法を適用して、要約情報を生成する。具体的には、要約対象のコンテンツにおける単語の出現頻度と逆出現頻度等により抽出された単語を要約情報としてもよいし、抽出された単語を含む文を要約情報としてもよい。また、要約情報提供サーバ１０のシステム制御部１４は、コンテンツ情報３０を所定の単位に分割して、各分割したコンテンツ情報３０の各要約情報を予め要約情報ＤＢ１２ｂに記憶させておいてもよい。この場合、要約情報提供サーバ１０のシステム制御部１４は、非表示エリアに対応したコンテンツの要約情報を要約情報ＤＢ１２ｂから取得してもよい。
【００６０】
次に、要約情報提供サーバ１０は、要約情報を端末２０に送信する（ステップＳ８）。具体的に、要約情報提供サーバ１０のシステム制御部１４は、通信部１１を通して、要約情報を端末２０に送信する。そして、端末２０のシステム制御部２６は、通信部２１を通して、要約情報を要約情報提供サーバ１０から受信する。
【００６１】
次に、端末２０は、操作部２４からの入力の有無を判定する（ステップＳ９）。ステップＳ１のように、端末２０のシステム制御部２６は、マウス等の操作部２４により、Ｗｅｂブラウザ４０が操作されているか否かを判定をする。
【００６２】
次に、端末２０は、要約情報を表示部２３に表示する（ステップＳ１０）。図６に示すように、端末２０のシステム制御部２６は、Ｗｅｂブラウザ４０の画面に、表示エリア３１のコンテンツ上に開かれた要約表示枠４１に要約情報３５を表示する。なお、要約情報３５にはリンクが張られていて、操作部２４のマウス等によりクリックされると、端末２０のシステム制御部２６は、Ｗｅｂブラウザ４０の画面をスクロールし、要約情報３５に対応したコンテンツ情報３０が記載されている箇所に移動させる。
【００６３】
以上、本実施形態によれば、コンテンツ情報３０の表示エリア３１を特定するための表示位置情報を端末２０から受信し、コンテンツ情報３０の非表示エリア３２、３３を表示位置情報から特定し、非表示エリア３２、３３に含まれるコンテンツ情報の要約情報３５を生成し、要約情報３５を端末２０へ送信することにより、Ｗｅｂブラウザ４０等の画面内に収まらない分量のコンテンツ情報がある場合、Ｗｅｂブラウザ４０等の画面のスクロール等によって表示されなくなった部分の情報を確認できる。
【００６４】
表示位置情報（例えば、位置座標（Ｙ１、Ｙ２））と、表示部２３におけるコンテンツ情報の初期の表示エリアを示す初期表示位置情報（例えば、初期表示位置情報（０、Ｙｗ））と、に基づき、非表示エリアを特定する場合、要約情報提供サーバ１０のシステム制御部１４は、ユーザが既に読んだと想定される部分を容易に特定し、既に読んだ部分のみを要約することで、ユーザに内容をより効果的に提示することができる。
【００６５】
また、端末２０の操作部２４の操作情報に基づき、一定時間操作が無く、再度操作がなされた場合の操作判定情報を取得し、操作判定情報を取得した場合に、要約情報を端末へ送信すると、一定時間、マウス等の操作が無ければ、放置していて既に見た内容を忘れていると推定でき、より適切なタイミングに、自動的に要約を提示することが可能である。
【００６６】
次に、端末２０の表示部２３に表示される要約情報の変形例について、図７および図８を用いて説明する。
【００６７】
図７は、端末２０に表示された要約情報の変形例を示す模式図である。図８は、端末２０に表示された要約情報の変形例を示す模式図である。
【００６８】
図７に示すように、Ｗｅｂブラウザ４０の要約表示枠４１に画像データ３６ａを含む要約情報３６を表示してもよい。また、Ｗｅｂブラウザ４０のタイトルバー４２に、要約情報３７を表示してもよい。
【００６９】
次に、図８に示すように、Ｗｅｂブラウザ４０の要約表示枠４１に、第１の要約情報３５と、第２の要約情報３８とを示してもよい。第１の要約情報３５と、第２の要約情報３８との順は、コンテンツ情報３０に記載されている順であるとすると、非表示エリア３２、３３における、コンテンツ情報３０の内容をより把握しやすくなる。
【００７０】
次に、端末２０の表示部２３に要約情報を表示させるための変形例について、図９を用いて説明する。
図９は、端末２０に要約情報を表示させるための変形例を示す模式図である。
【００７１】
端末２０のシステム制御部２６は、操作部２４のマウスの右クリック等の信号を受信し、図９に示すように、端末２０のシステム制御部２６は、Ｗｅｂブラウザ４０に、表示エリア３１のコンテンツ上にメニュー表示枠４５を表示させる。メニュー表示枠４５の”要約を表示”が選択されると、ステップＳ４のように、端末２０のシステム制御部２６は、通信部２１を通して、コンテンツ情報３０の表示エリア３１のＹ方向の位置座標（Ｙ１、Ｙ２）を要約情報提供サーバ１０に送信する。
【００７２】
そして、ステップＳ８で、要約情報提供サーバ１０のシステム制御部１４が、要約情報を端末２０に送信した後、端末２０のシステム制御部２６は、通信部２１を通して、要約情報を要約情報提供サーバ１０から受信し、図６に示すように、Ｗｅｂブラウザ４０の画面の要約表示枠４１に要約情報３５を表示させる。
【００７３】
次に、コンテンツ情報の変形例について、図１０を用いて説明する。
図１０は、要約情報提供サーバ１０が提供するコンテンツ情報の変形例を示す模式図である。
【００７４】
図１０に示すように、ＷｅｂページがＷｅｂページ５１、Ｗｅｂページ５２、Ｗｅｂページ５３と遷移してきたとき、Ｗｅｂページ５１、５２、５３のコンテンツ情報５０を、画面内に収まらない分量のコンテンツ情報としてもよい。Ｗｅｂページ５３が表示エリアに対応し、マウスのクリック等によって表示されなくなった部分の情報のＷｅｂページ５１、Ｗｅｂページ５２が、非表示エリアに対応する。この場合、要約情報提供サーバ１０のシステム制御部１４や端末２０のシステム制御部２６が、例えば、Ｗｅｂページの閲覧履歴情報より、表示部２３に表示されていないコンテンツ情報の非表示エリアを特定する。
【００７５】
なお、コンテンツ情報の一例として、ワードプロセッサーや表計算等のソフトウェアで閲覧できる電子データのコンテンツでもよい。
【００７６】
また、端末２０の表示部２３に要約情報を表示させる要約情報表示用のプログラムを、Ｗｅｂブラウザ等のエージェントにより端末２０のシステム制御部２６が実行してもよい。この場合、端末２０のシステム制御部２６が、表示部２３に表示させるコンテンツ情報３０のうち、表示部２３に表示されている表示エリア３１を特定するための表示位置情報を操作部２４から取得し、コンテンツ情報のうち、表示部２３に表示されていない非表示エリア３２、３３を、表示位置情報から特定し、非表示エリア３２、３３に含まれるコンテンツ情報の要約情報を生成し、要約情報を表示部２３に表示させる。特に、これは、コンテンツ情報３０として、ワードプロセッサーに入力している情報等に適用される。また、要約情報を表示させる等の機能が、Ｗｅｂブラウザ等にアドオンにより追加されてもよい。
【００７７】
また、要約情報提供サーバ１０のシステム制御部１４は、Ｗｅｂブラウザ４０の画面に、表示エリア３１のコンテンツ上に開かれた要約表示枠４１を表示させ、要約表示枠４１に要約情報３５を表示させるＷｅｂページやプログラムを生成したり、要約情報を端末２０に送信したりすることにより、要約情報を表示部２３に表示させる。
【００７８】
また、要約情報提供サーバ１０のシステム制御部１４が、端末２０の操作部２４の操作情報を端末２０から受信し、操作情報に基づき、一定時間操作が無く、再度操作がなされた否かを判定し、判定結果として再度操作がなされた場合の操作判定情報を取得し、操作判定情報を取得した場合に、要約情報を端末２０へ送信してもよい。
【００７９】
さらに、本発明は、上記各実施形態に限定されるものではない。上記各実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【００８０】
１：要約情報表示システム（要約情報表示装置）
３：ネットワーク
１０：要約情報提供サーバ（要約情報提供装置）
１２ａ：コンテンツＤＢ
１２ｂ：要約情報ＤＢ
２０：端末（要約情報表示装置）
２３：表示部（表示手段）
２４：操作部（操作手段）
３０、５０：コンテンツ情報
３１：表示エリア（表示部分）
３２、３３：非表示エリア（非表示部分）
３５：要約情報
５３：Ｗｅｂページ（表示部分）
５１、５２：Ｗｅｂページ（非表示部分）
【図１】
2012008970.tif 000003
【図２】
2012008970.tif 000004
【図３】
2012008970.tif 000005
【図４】
2012008970.tif 000006
【図５】
2012008970.tif 000007
【図６】
2012008970.tif 000008
【図７】
2012008970.tif 000009
【図８】
2012008970.tif 000010
【図９】
2012008970.tif 000011
【図１０】
2012008970.tif 000012